(57)【要約】  発明は、送信者（識別子によって指定される）がデジタルコンテンツを１人以上の受信者（１つ以上の識別子によって指定される）に送信することを可能にするメッセージを送信するためのシステム及び方法を提案し、コンテンツは少なくとも１つの素材主題に関連付けられる（それぞれは少なくとも１つの単一認証子によって指定される）。従って、メッセージを送信するため、送信者は、送信するコンテンツを固定するよう機能する、各素材主題の識別力があり、固有の特徴である、素材主題の少なくとも１つの単一認証子を実装する。メッセージのコンテンツにアクセスできるようにするため、受信者は、現在の任意のメッセージングシステムの場合と同様に、サーバにその識別子だけでなく、送信者がメッセージを作成した時に用いられた同じ素材主題との単一認証子も提供しなければならない。素材主題の単一認証子は、素材主題の認証領域の１つ以上の画像、又は前記画像から取り出され、素材主題の微細構造を部分的に特徴付ける任意の測定基準であってもよい。
2020512626.tif 000002
【特許請求の範囲】
【請求項１】
電子メッセージ送信方法であって、
・最初に、所定の観察倍率で微細構造を示す少なくとも１つの認証領域を有する少なくとも１つの素材主題を送信者によって選択され、次いで、前記認証領域の少なくとも１つの第１の画像を取得又は実装するステップと、
・前記送信者によって、サーバシステム上で送信される前記電子メッセージを記録するステップと、
・前記サーバシステム上に前記メッセージの少なくとも１人の受信者の少なくとも１つの識別子を記録するステップであって、各識別子は送信される前記メッセージに関連付けられるステップと、
・メッセージの存在を各受信者へ通知するステップと、
・前記素材主題の前記認証領域の少なくとも１つの第２の画像を取得するステップであって、前記第２の画像は、前記第１及び前記第２の画像が前記認証領域に関する略同等のレベルの情報を含むように、前記第１の画像のものと略同等の品質で取得されるステップと、
・前記第１及び第２の画像を位置合わせし、前記第１の画像から前記素材主題の第１の単位認証子を特定し、前記第２の画像から前記素材主題の第２の単位認証子を特定するステップと、
・前記単位認証子を比較するステップと、
・前記第２の単位認証子に関連付けられる少なくとも１人の受信者の識別子を前記サーバシステムに送信するステップと、
・前記第１及び第２の単位認証子が類似しており、前記サーバシステムに記録された前記受信者識別子と前記送信された受信者識別子とが一致する場合、その識別子及び前記単位認証子に関連付けられる前記メッセージを前記受信者に送信するステップと、
を含む電子メッセージ送信方法。
【請求項２】
電子メッセージ送信方法であって、
・最初に、所定の観察倍率で微細構造を示す少なくとも１つの認証領域をそれぞれが有する少なくとも２つの素材主題を送信者によって選択され、次いで、各素材主題の前記認証領域の少なくとも１つの第１の画像を取得又は実装するステップと、
・サーバシステム上で送信される前記電子メッセージを記録するステップと、
・所定の観察倍率で微細構造を示す少なくとも１つの認証領域をそれぞれが有する少なくとも２つの素材主題を実装するステップと、
・位置合わせ基準を実装するステップと、
・前記位置合わせ基準に対して各第１の画像を位置合わせし、前記位置合わせと一緒であろうとなかろうと、各第１の画像から各素材主題の第１の単位認証子を特定するステップであって、前記単位認証子は前記認証領域の画像及び／又はこの画像から派生した認証子を備えるステップと、
・前記サーバシステム上に各素材主題の前記第１の認証子を記録するステップと、
・少なくとも１つの候補素材主題の前記認証領域の少なくとも１つの第２の画像を取得するステップであって、前記第２の画像は、前記第１及び前記第２の画像が前記認証領域に関する略同等のレベルの情報を含むように、前記第１の画像のものと略同等の品質で取得されるステップと、
・前記位置合わせ基準に対して前記第２の画像を位置合わせし、前記位置合わせと一緒であろうとなかろうと、前記第２の画像から前記候補素材主題の候補単位認証子を特定するステップと、
・前記候補認証子に関連付けられる少なくとも１人の受信者の識別子を前記サーバシステムに送信するステップと、
・前記候補単位認証子を前記サーバシステム内に記録された前記第１の単位認証子と比較し、前記候補単位認証子と第１の単位認証子とが類似している場合、識別子が前記候補単位認証子に関連付けられる前記受信者へ前記メッセージを送信するステップと、
を含む電子メッセージ送信方法。
【請求項３】
素材主題の少なくとも１つの単位認証子に関連付けられる受信者の少なくとも１つの識別子を記録するステップを含むことを特徴とする、請求項２に記載のメッセージ送信方法。
【請求項４】
素材主題の各認証領域画像において、特異点及び各特異点に関連付けられる特異領域の記述子を特定することを含み、前記記述子は対応する各特異点に関連付けられ、前記画像から、前記素材主題の単位認証子を特定することを含む、請求項１〜３の何れか一項に記載の電子メッセージ送信方法。
【請求項５】
送信される前記メッセージの各受信者の少なくとも１つの識別子は前記サーバシステム上に記録され、受信者識別子は送信され、前記メッセージは、前記サーバシステムによって後者の肯定的な認証の場合にのみ前記受信者に送信されることを特徴とする、請求項１〜４の何れか一項に記載の方法。
【請求項６】
・前記サーバシステム上で送信される前記電子メッセージの前記コンテンツを記録するステップであって、前記コンテンツは送信される前記メッセージに関連付けられるステップと、
・前記サーバシステム上に前記メッセージの少なくとも１人の受信者の少なくとも１つの識別子を記録するステップであって、各識別子は送信される前記メッセージに関連付けられるステップと、
・前記サーバシステム上に前記メッセージの少なくとも１人の送信者の少なくとも１つの識別子を記録するステップであって、各識別子は送信される前記メッセージに関連付けられるステップと、
・所定の観察倍率で微細構造を示す少なくとも１つの認証領域を有する少なくとも１つの素材主題を実装するステップと、
・前記送信者に対してアクセス可能なデバイスによって認証領域の少なくとも１つの第１の画像を取得するステップと、
・前記第１の画像において、特異点及び各特異点に関連付けられる特異領域の記述子を特定するステップであって、前記記述子は対応する各特異点に関連付けられるステップと、
・前記特異点及びそれらの関連する記述子を記録するステップと、
・送信される前記メッセージに関連して、前記サーバシステム上の前記素材主題の単位認証子を記録するステップと、
に少なくとも進むメッセージ記録フェーズを含むことを特徴とする、請求項１〜５の何れか一項に記載の方法。
【請求項７】
認証区間の画像が前記メッセージの復元に用いられなければならない前記素材主題に関する情報が各受信者に送信されることを特徴とする、請求項１〜６の何れか一項に記載の方法。
【請求項８】
前記素材主題に関する前記情報は前記素材主題の地理的位置を提供するための少なくとも１つの情報を備えることを特徴とする、請求項１〜７の何れか一項に記載の方法。
【請求項９】
前記復元フェーズの前に、前記素材主題が各受信者に配信されることを特徴とする、請求項１〜８の何れか一項に記載の方法。
【請求項１０】
前記復元フェーズにおいて、前記メッセージは、各受信者によって、前記素材主題及び／又はその環境の画像に関連して視覚化されることを特徴とする、請求項１〜９の何れか一項に記載の方法。
【請求項１１】
素材主題の単位認証子の前記特定は所定のアルゴリズムによって実行され、且つ、画像取得手段及び計算手段を備え、第２の単位認証子を特定するための同じアルゴリズムを実装するよう適合されるモバイル通信デバイスが実装されることを特徴とする、請求項１〜１０の何れか一項に記載の方法。
【請求項１２】
前記受信者はそのためのメッセージの可用性を通知されることを特徴とする、請求項１〜１１の何れか一項に記載の方法。
【請求項１３】
前記素材主題の前記単位認証子が認証画像であり、画像取得手段及び計算手段を備え、安全な方法であろうとなかろうと、前記位置合わせ又は比較計算をローカルで行わずに、検証画像をサーバシステムに送信するよう適合されるモバイル通信デバイスが実装されることを特徴とする、請求項１〜１２の何れか一項に記載の方法。
【請求項１４】
位置合わせ、単位認証子の特定、及び比較フェーズは、画像取得手段及び計算手段を備えるモバイル通信デバイスにおいて部分的に、並びに、少なくとも１つのサーバシステムにおいて部分的に実行されることを特徴とする、請求項１〜１３の何れか一項に記載の方法。
【発明の詳細な説明】
【技術分野】
【０００１】
本発明は、転送されるコンテンツ（暗号化されているか若しくはいないか）又は保持されている送信者／受信者スキーム（匿名、１：１、若しくは１：Ｎ、更にはＮ：１）に関係なく、及び制限された若しくは無制限の利用可能時間を有する（一時的又は持続可能）メッセージのための、デジタルメッセージングの技術分野に属する。デジタルメッセージングとは、メッセージ及びそのデジタルコンテンツを送信者から受信者にルーティングするための技術的システム（コンピュータ、アプリケーション、ネットワーク、・・・）を意味する。
【背景技術】
【０００２】
現在のデジタルメッセージングシステムは、送信者がデジタルコンテンツを１人以上の受信者に送信することを可能にしている。このコンテンツは、デジタル形式のままで送信者から受信者にデジタルで伝わる。コンテンツは、往々にして、限定された寿命を有する可能性があり、すなわち、一体型又は外部の消去システムに関連付けられている可能性がある。コンテンツは、また、暗号化されてもよく、通常、事前に送信者と受信者との間で暗号化キーの交換を必要とする。コンテンツは、暗号化されていても、特定の条件なしで送信者から、コンテンツがあるサーバから別のサーバへ伝わり、その保存又はアーカイブ先に到達した瞬間からコンテンツにアクセスしてもよい受信者へルーティングされる。現在のシステムの全ては、送信者又は受信者を定義する一意の識別子に基づいている。従って、送信者から発信するコンテンツは、常に受信者、又は少なくとも宛先識別子の所有者によって回収される。主導権は、例えば、ある特定の地理的位置（一般に、ＧＰＳ、Ｗｉ−Ｆｉ、無線若しくは音響三角測量、又はその他によって定義される）にあるか又はユーザグループに属する別のユーザに近接する条件において、メッセージの配信条件を改良するための分野において取られており、これらの適用は「ロケーションベースのメッセージング」と称されている。
【発明の概要】
【発明が解決しようとする課題】
【０００３】
従って、提案されているシステムは、１つ以上の素材主題（ｍａｔｅｒｉａｌ  ｓｕｂｊｅｃｔ）の実装によって厳密に条件付けられる送信者と受信者との間でデジタルコンテンツを共有することができない。既存の方法は、デジタルコンテンツを素材主題に添付することができない。本発明は、従って、受信者が素材主題又は後者の画像に関して何れかの瞬間に行われている条件に対してメッセージの配信を適合させるよう提案することによって、この不足を改善することを目的とする。この進める方法は、必ずしも暗号化を用いることなく、メッセージの機密性を簡単に向上させることができる。その上、心理学において、人間は常に、特定の瞬間を覚えるか、ある特定の出来事を意味するか若しくは儀式化するか、又は感情を共有するために、それらの素材物体との特定の関係を用いていることが知られている。旅行から持ち帰った若しくは親しい友人に贈られた、又は記念碑にも関連付けられた物体を特徴付ける「記念品」という言葉は、個人的又は集団的な記憶と我々を取り巻く素材主題との間のこの黙認の証拠である。これは、従って、選択された素材主題に従って、喚起の追加の次元も提供する安全なメッセージング方法である。
【０００４】
従って、本発明は最初に、少なくとも１つの二重認証、すなわち、一方では、受信者の認証、他方では、メッセージの配信に対するキーとして機能し、その準備に用いられた素材主題の認証に対してその配信を適合させることによって、１人以上の送信者から１人以上の受信者にコンテンツを送信することを目的としている。これは、従って、この素材主題に関連するデジタルメッセージングの方法である。
【０００５】
問題は、比喩的に、任意の種類の素材（物理的）物体にデジタル「Ｐｏｓｔ−ｉｔ（商標）」を配置し、受信者に対して、又は送信者に対してさえも極めて興味深い体験を作成することである。添付されたコンテンツのこの仮想化は、また、それが設定可能であり、２つの世界の間にあるため、実際又は仮想の視覚的汚染を回避するという利点もある。
【課題を解決するための手段】
【０００６】
この目的を達成するために、発明は、電子メッセージ送信方法であって、
・最初に、所定の観察倍率で微細構造を示す少なくとも１つの認証領域を有する少なくとも１つの素材主題を送信者によって選択され、次いで、認証領域の少なくとも１つの第１の画像を取得又は実装するステップと、
・送信者によって、サーバシステム上で送信される電子メッセージを記録するステップと、
・サーバシステム上にメッセージの少なくとも１人の受信者の少なくとも１つの識別子を記録するステップであって、各識別子は送信されるメッセージに関連付けられるステップと、
・メッセージの存在を各受信者へ通知するステップと、
・素材主題の認証領域の少なくとも１つの第２の画像を取得するステップであって、第２の画像は、第１及び第２の画像が認証領域に関する略同等のレベルの情報を含むように、第１の画像のものと略同等の品質で取得されるステップと、
・第１及び第２の画像を互いに対して又は同じ基準に対して位置合わせし、位置合わせと一緒であろうとなかろうと、第１の画像から素材主題の第１の単位認証子を特定し、第２の画像から素材主題の第２の単位認証子を特定するステップと、
・単位認証子を比較するステップと、
・第２の単位認証子に関連付けられる少なくとも１人の受信者の識別子をサーバシステムに送信するステップと、
・第１及び第２の単位認証子が類似しており、サーバシステムに記録された受信者識別子と送信された受信者識別子とが一致する場合、その識別子及び単位認証子に関連付けられるメッセージを受信者に送信するステップと、
を含む電子メッセージ送信方法に関する。
【０００７】
発明は、従って、有利なことに、受信者がメッセージの配信前に素材主題を所有しているか又はそれが存在していることを保証し、従って交換を簡単に保護する。
【０００８】
発明の意味において、メッセージ送信の概念は、「プッシュ」モードでの送信又は「プル」モードでの復元を同等に意味する。同様に、発明の意味において、「単位認証子を特定する」というフレーズは、「単位認証子を抽出する」というフレーズと同義である。
【０００９】
しかし、各認証子は、特にこれが必ずしもなくても、対応する画像から特に構成されてもよいことに留意されたい。
【００１０】
「メッセージ」とは、少なくともコンテンツ並びに送信者及び受信者に関する情報、又は他の性質のメタデータ（タイムスタンプ、地理位置情報、・・・）でさえも備えるデジタルセットを意味する。
【００１１】
発明の意味において、「サーバシステム」とは、必ずしも同じ場所に位置しない１つ以上のサーバを備え、発明を実装するよう適合されるコンピュータシステムであると理解されたい。従って、このサーバシステムの枠組み内で、メッセージの送信を実行する機械は、必ずしも認証操作を実行するものでも、データの保存を操作するものでもなく、サーバシステムは、また、発明の枠組み内で割り当てられる全ての操作を実行する単一の機械を備えることもできると理解されたい。分散アーキテクチャサーバシステムの場合、実装されるサーバは一般に「ノード」と称される。
【００１２】
本発明はまた、電子メッセージ送信方法であって、
・サーバシステム上で送信される電子メッセージを記録するステップと、
・所定の観察倍率で微細構造を示す少なくとも１つの認証領域をそれぞれが有する少なくとも２つの素材主題を実装するステップと、
・位置合わせ基準を実装するステップと、
・各素材主題の認証領域の少なくとも１つの第１の画像を取得し、位置合わせ基準に対して各第１の画像を位置合わせし、位置合わせと一緒であろうとなかろうと、各第１の画像から各素材主題の第１の単位認証子を特定するステップと、
・サーバシステム上に各素材主題の第１の認証子を記録するステップであって、前記認証子は認証領域の画像及び／又はこの画像から派生した認証子を備えるステップと、
・少なくとも１つの候補素材主題の認証領域の少なくとも１つの第２の画像を取得するステップであって、第２の画像は、第１及び第２の画像が認証領域に関する略同等のレベルの情報を含むように、第１の画像のものと略同等の品質で取得されるステップと、
・位置合わせ基準に対して第２の画像を位置合わせし、位置合わせと一緒であろうとなかろうと、第２の画像から候補素材主題の候補単位認証子を特定するステップと、
・候補認証子に関連付けられる受信者識別子をサーバに送信するステップと、
・候補単位認証子をサーバシステム内に記録された第１の単位認証子と比較し、候補単位認証子と第１の単位認証子とが類似している場合、識別子が候補単位認証子に関連付けられる受信者へメッセージを送信するステップと、
を含む電子メッセージ送信方法に関する。
【００１３】
発明の意味において、「位置合わせ基準」とは、例えば、実装される素材主題と同じファミリー、種類、又はカテゴリの参照主題の画像、認証領域付近の注目点の画像、各認証領域内又はその付近に存在するパターン又はサインの画像等の任意の性質のものであってもよい参照画像と理解されるべきであり、このリストは制限するものではない。
【００１４】
本発明の特徴によれば、メッセージ送信方法は、素材主題の少なくとも１つの単位認証子に関連付けられる受信者の少なくとも１つの識別子を記録するステップを含む。
【００１５】
本発明の特徴によれば、素材主題の各認証領域画像において、特異点及び各特異点に関連付けられる特異領域の記述子を特定することに進み、記述子は対応する各特異点に関連付けられ、前記画像から、前記素材主題の単位認証子を特定することに進む。
【００１６】
その上、発明によれば、異なるステップは、必ずしもそれらが列挙された順序で実行されるとは限らない。
【００１７】
従って、例えば、変形実施形態によれば、メッセージ記録フェーズにおいて、少なくとも、
・サーバシステム上で送信される電子メッセージのコンテンツを記録するステップであって、コンテンツは送信されるメッセージに関連付けられるステップと、
・サーバシステム上にメッセージの少なくとも１人の受信者の少なくとも１つの識別子を記録するステップであって、各識別子は送信されるメッセージに関連付けられるステップと、
・サーバシステム上にメッセージの少なくとも１人の送信者の少なくとも１つの識別子を記録するステップであって、各識別子は送信されるメッセージに関連付けられるステップと、
・所定の観察倍率で微細構造を示す少なくとも１つの認証領域を有する少なくとも１つの素材主題を実装するステップと、
・送信者に対してアクセス可能なデバイスによって認証領域の少なくとも１つの第１の画像を取得するステップと、
・第１の画像から、素材主題の少なくとも１つの第１の単位認証子を特定するステップと、
・送信されるメッセージに関連して、サーバシステム上の素材主題の単位認証子を記録するステップと、
に進む。
【００１８】
各受信者によるメッセージ復元フェーズにおいて、少なくとも、
・受信者に対してアクセス可能なデバイスによって、素材主題の認証領域の少なくとも１つの第２の画像を取得するステップと、
・第２の画像において、特異点及び各特異点に関連付けられる特異領域の記述子を特定するステップであって、記述子は対応する各特異点に関連付けられるステップと、
・第２の画像から、素材主題の第２の候補単位認証子を抽出するステップと、
・特異点及びそれに関連する記述子によって位置合わせを実装し、次いで、第１及び第２の画像及び／又はそれらそれぞれの単位認証子を比較するステップと、
・一方で受信者識別子の、並びに、サーバシステムにおいて配信され、保存されるメッセージに関連付けられるものとの素材主題の候補単位認証子の認証フェーズを実装するステップと、
・第１及び第２の画像又はそれらそれぞれの単位認証子が十分に類似しており、サーバシステムに記録された受信者識別子と候補受信者の識別子とが一致する場合、その識別子及び生成装置素材主題に関連付けられるメッセージを受信者に送信するステップと、
に進む。
【００１９】
第１の画像において特異点及び記述子を特定するステップは、次いで、記録フェーズ若しくは復元フェーズにおいて、又はこれらのフェーズ以外の何れかで生じてもよい。
【００２０】
発明の意味において、認証領域のマイクロテクスチャは、それが素材主題の認証領域の性質自体に起因するという点で、本質的なものであり、ランダムである。発明の好ましい実施形態において、用いられる各素材主題は、容易に再現できない、すなわち、再現が困難であるか又は観測規模において予測不可能なプロセスに顕著に起因するという点で不可能でさえある本質的にランダムな固有構造を有する少なくとも１つの認証領域を備える主題ファミリーに属する。本質的にランダムで、容易に再現できない連続媒体構造を有するかかる認証領域は、Ｅｎｇｌｉｓｈ−ｌａｎｇｕａｇｅ  ｐｕｂｌｉｃａｔｉｏｎ  Ｅｎｃｙｃｌｏｐｅｄｉａ  ｏｆ  Ｃｒｙｐｔｏｇｒａｐｈｙ  ａｎｄ  Ｓｅｃｕｒｉｔｙ、０１／２０１１版、９２９〜９３４ページで、Ｊｏｒｇｅ  Ｇｕａｊａｒｄｏの論文において特に定義されるような「Ｐｈｙｓｉｃａｌ  Ｕｎｃｌｏｎａｂｌｅ  Ｆｕｎｃｔｉｏｎｓ」（ＰＵＦ）に対応している。好ましくは、発明による素材主題の認証領域は、上記論文内で「固有ＰＵＦ」と称される固有の物理的複製困難な関数に対応する。発明者らは、精密さ、発達、又は成長のその形態から生じるため、特定の構造、特に、印刷、又は彫刻を認証領域に追加する必要がないように、認証領域の微細構造のランダム性が主題の性質自体に本来の若しくは固有のものであるという事実を活用している。
【００２１】
しかし、素材主題の微細構造自体が単位認証子を特定するために用いられてもよい場合、それを用いてもよいが、例えば、そのランダム特性における素材主題との彫刻、印刷、エンボス、スタンピングの相互作用によって残されたマークも用いられてもよい（例：インクジェット印刷の紙、ここで紙に付着した液滴の形状は十分である可能性がある）。
【００２２】
本発明の特徴によれば、メッセージ記録フェーズにおいて、送信されるメッセージ内の各受信者の少なくとも１つの識別子はサーバシステム上に記録され、復元フェーズにおいて、受信者の識別子は候補素材主題の認証子と共同で実装され、メッセージは、次いで、サーバシステム又はその他のデバイスによるそれら後者の肯定的な認証の場合にのみ、受信者に送信される。発明の意味において、識別子は、受信者又は送信者を識別する一方で、後者の身元が奪われていないという比較的高い確実性を提供することを可能にするデータ又はデータのセットである。従って、識別子は、例えば、バイオメトリックデータ、又は識別子を保持する唯一の人物が知っているパスワードとユーザ名の組み合わせであってもよい。
【００２３】
単位認証子は、取得した画像自体、それ（それら）から抽出又は派生した画像、又は取得した画像から推定され、この（これらの）後者を特徴付けるデジタルデータの任意のセットであってもよい。例えば、局所的特徴の局所的不変記述子は、認証領域の構造的又は微細構造的空間情報を含む取得画像から計算した。
【００２４】
発明の別の特徴によれば、メッセージ復元フェーズの前に、認証区間の画像がメッセージの復元に用いられなければならない素材主題に関する情報が各受信者に送信される。発明の意味において、素材主題に関する情報は、場所情報、位置情報、又は受信者が素材主題の存在下で何をすべきかを知ることを可能にする指示等の情報であってもよい。
【００２５】
この特徴の変形例によれば、素材主題に関する情報は素材主題の地理的位置を提供するための少なくとも１つの情報を備える。
【００２６】
発明の別の特徴によれば、メッセージ復元フェーズの前に、素材主題が各受信者に配信される。
【００２７】
発明の別の特徴によれば、受信者はそのためのメッセージの可用性を、デバイスによって、又はその他の手段によって通知される。かかるデバイスは、次いで、いわゆる「プッシュ」モードで、復元されるメッセージの可用性を通知するメッセージを受信するか、又は、いわゆる「プル」モードで、復元されるメッセージの可能性のある可用性を定期的にチェックするかのどちらか一方を行ってもよい。通知は、拡張現実視覚化の枠組み内での文脈的表示であってもよい。
【００２８】
発明の更に別の特徴によれば、メッセージ復元フェーズにおいて、メッセージは、各受信者によって、素材主題及び／又はその環境の画像に関連して視覚化される。その目的のために、あらゆる種類の拡張現実技術を用いることが可能である。
【００２９】
発明の特徴によれば、記録フェーズにおいて、素材主題の単位認証子の特定は所定のアルゴリズムによって実行され、復元フェーズ中に、画像取得手段及び計算手段を備え、素材主題の候補単位認証子である第２の単位認証子を特定するための同じアルゴリズムを実装するよう適合されるモバイル通信デバイスが実装される。
【００３０】
発明の特徴によれば、記録フェーズにおいて、素材主題の単位認証子は認証画像であり、復元フェーズ中に、画像取得手段及び計算手段を備え、位置合わせのための又は更に認証画像及び検証画像の比較のための所定のアルゴリズムを実装するよう適合されるモバイル通信デバイスが実装される。
【００３１】
発明の特徴によれば、記録フェーズにおいて、素材主題の単位認証子が認証画像であり、復元フェーズ中に、画像取得手段及び計算手段を備え、安全な方法であろうとなかろうと、位置合わせ又は比較計算をローカルで行わずに、検証画像をサーバシステムに送信するよう適合されるモバイル通信デバイスが実装される。
【００３２】
発明の特徴によれば、位置合わせ、単位認証子の特定、及び比較フェーズは、画像取得手段及び計算手段を備えるモバイル通信デバイスにおいて部分的に、並びに、少なくとも１つのサーバシステムにおいて部分的に実行される。
【００３３】
無論、発明の様々な特徴及び変形例は、それらが互いに排他的でない限り、様々な組み合わせに従って互いに関連してもよい。
【図面の簡単な説明】
【００３４】
【図１】メッセージングシステムの実施例のブロック図を示す。
【発明を実施するための形態】
【００３５】
発明が、特に、送信者（識別子によって指定される）がデジタルコンテンツを１人以上の受信者（１つ以上の識別子によって指定される）に送信することを可能にするメッセージングシステムを提案し、コンテンツは少なくとも１つの素材主題に関連付けられる（それぞれは少なくとも１つの単位認証子によって指定される）。かかるメッセージングシステムの実施例のブロック図を図１に示す。
【００３６】
従って、メッセージを送信するため、送信者は、送信されるコンテンツへのアンカーとして機能する、素材主題の識別力があり、固有の機能である、素材主題の少なくとも１つの単位認証子の作成を実装する。メッセージコンテンツにアクセスできるようにするため、受信者は、現在の任意のメッセージングシステムの場合と同様に、サーバにその識別子を提供しなければならないが、送信者によるメッセージの作成時に供給された同じ素材主題の単位認証子も提供しなければならない。素材主題の単位認証子は、素材主題の認証領域の１つ以上の画像、又は前記画像から抽出され、素材主題の微細構造を部分的に特徴付ける任意の測定基準であってもよい。発明の意味において、メッセージのコンテンツは、例えば、データ及び／又はアプリケーション又はセッション開始リンク、ハイパーテキストリンクのような任意の性質のものであってよく、このリストは網羅的又は限定的ではない。
【００３７】
発明の意味において、「画像」とは、第１に、その取得チェーンが光学部分を備え、人間の視覚システムによって可視であるのが好ましいが、必然ではない光線による素材主題の少なくとも１つの領域（認証領域と称する）の刺激によって生じる光学画像を意味する。素材主題の照明は、反射及び／又は透過における認証領域の光学的挙動に適合させてもよい。周囲照明も、適切な場合に用いられてもよい。用語「画像」は、また、幅広い意味で理解されるべきであり、光線による認証領域の刺激により顕著に生じる光学画像の単一の意味に限定されない。従って、認証及び検証画像は、適切な取得チェーンと関連して任意の種類の認証領域の刺激によって得られてもよく（アナログからデジタルへのシフト）、同じ種類又は同じ性質の刺激が認証及び検証画像の取得のために実装されることは言うまでもない。想定できる種類の刺激又は取得形態の中で、特に、超音波、Ｘ線、Ｘ線又はレーザ断層撮影、Ｘ線撮影、磁気共鳴について言及されてもよいが、このリストは限定的又は網羅的ではない。
【００３８】
発明の例示的な実施形態によれば、送信者は、記録フェーズにおいて、デジタルコンテンツ、受信者、及び少なくとも１つの素材主題を選択する。コンピュータネットワークに接続された電子デバイスを用いて、この送信者は以下のステップの実装を開始する。
・少なくとも送信者識別子を特定し、受信者識別子を特定し、素材主題の単位認証子を特定する；
・関連するメッセージを形成することであって、前述のデジタルデータ全体（送信者識別子、受信者識別子、デジタルコンテンツ、及び主題素材の単位認証子）がアセンブルされて、関連メッセージ、マルチ単位インデックス付デジタルデータのセットを形成し、任意の既存の通信インフラストラクチャにおいて、及び、既知又は適合された全てのプロトコルタイプ（電子メールプロトコル、インスタントメッセージングプロトコル、メッセージングプロトコル（ＷＡＰ、ＳＭＳ、ＭＭＳ、・・・）、・・・）に従って処理準備が完了する。
【００３９】
関連付けられたメッセージは、次いで、選択された通信インフラストラクチャによって処理され、デジタルコンテナ（ローカル又はリモートサーバシステム）に少なくとも保存されるため、それは後に実施（配信）することができる。
【００４０】
受信者は、次いで、サーバシステム又はその他のデバイスによって、関連メッセージの可用性を直接又は間接的に通知され、それが素材メッセージに近づき、発明の目的である方法の復元部分を実施することができるように、メッセージに最初に関連付けられた素材主題（及び／又は素材主題の認証領域）に関する指示を受信する。
【００４１】
受取人の識別子を特定するステップ及び素材主題の候補単位認証子（検証単位認証子）を特定するフェーズが次いで実施される。関連メッセージのコンテンツへのアクセスを可能にするため、メッセージの生成中に実施されるものと同じ素材主題、又は送信者によって最初に実施されるものと同じ素材主題の略同じ認証領域が用いられなければならない。候補単位認証子を特定するこのフェーズは、以下の、少なくとも１つの検証画像（候補素材主題の認証領域から取得した画像）を取得するステップ／認証及び検証画像の相対的又は絶対的位置合わせを実行し、候補素材主題の単位認証子を特定するステップ／位置合わせが不可能な場合、素材主体の画像の認証の時期尚早な失敗と結論するステップを含む。
【００４２】
認証フェーズは、次いで、ローカル（受信者のデバイスにおいて又はそれに近接して）若しくはリモート（少なくとも１つのサーバシステムにおいて）、又は部分的にローカル及び部分的にリモートで実施される。この操作は、デジタル計算並びに、一方では、保存された受信者識別子と受信者候補識別子との比較、他方では、候補素材主題及びメッセージ録音フェーズ中に保存された素材主題の単位認証子同士の比較のシーケンスを実行するための、少なくとも１つのプロセッサ及び１つのメモリを備えるか、又は、電気通信手段を更に備える１つ以上の電子デバイスによって実行される。このステップは少なくとも１つのサーバシステムとの対話を必要とする。
【００４３】
認証フェーズが無効（いいえ）の場合、方法は少なくとも受信者に対する配信失敗の通知によって終了し、場合によっては、受信者に復元フェーズの開始から再開するよう提案してもよい。
【００４４】
認証フェーズが有効（はい）の場合、次のステップは、受信者が送信者によって望まれるようなデジタルコンテンツにアクセスする可能性との関連メッセージの配信である。
【００４５】
発明の意味において、そして最も簡単な実施形態によれば、送信者及び受信者識別子はそれぞれ既存のユーザ名及びパスワードからなり、その一方で、素材主題の単位認証子は、素材主題に固有の少なくとも物理的特徴を含む、少なくとも１つのセンサ（ことによると独自の刺激源）を装備した電子通信デバイスによって取得される画像に縮小される。
【００４６】
発明の意味において、送信者は、メッセージのコンテンツの送信者であると示される任意の実体（人又はオートマトン又はロボット又は通信オブジェクト）であってもよい。匿名であってもよいが、これは必須ではない。
【００４７】
発明の意味において、受信者は、メッセージのコンテンツの受信者として示される任意の実体（人又はオートマトン又はロボット又は通信オブジェクト）であってもよい。受信者は、一意、複数、及び制限され、すなわち予め定義されたグループのために確保されてもよいか、又は制限されていない、すなわち誰でもアクセスできる一方で、素材主題を実装する必要性若しくは真正の素材主題の単位認証子を再計算する可能性によって、制御されるアクセスを有してもよい。素材主題の単位認証子は、素材主題の認証区間の画像、又は前記画像から抽出され、素材主題の微細構造を部分的に特徴付ける任意の測定基準であってもよい。
【００４８】
発明の意味において、素材主題は送信者及び受信者から独立していることが好ましい。発明は、部分的に、素材主題の単一性、非再現性、及び予測不能性の特性に基づいている。発明によれば、素材主題は生きている動物ではなく、生きているのとは対照的に不活性又は死んでいることが好ましく、すなわち、素材主題は生体の成長又は再生プロセスの枠組み内で自然に変化しにくい。発明は、素材主題から取得された任意の画像内のマイクロテクスチャ又はテクスチャに変換される前記素材主題の微細構造又は構造を用いるか又は実装している。素材主題は、その性質及び複雑さが発明の実施に必要な特徴と互換性のある物理的な物体（物質、製品、・・・）又は自然光景（風景、・・・）であってもよい。
【００４９】
発明の意味において、認証領域により、素材主題の構造又は微細構造（例えば、自然に存在する不均一性）に関する、抽出された画像が空間情報を含む素材主題の一部が理解されてもよい。発明の枠組み内において、所定の観察倍率において、テクスチャ又はマイクロテクスチャという言葉は画像上で可視又は観察可能であるものに関し、その一方で、構造又は微細構造という言葉は素材主題自体に関する。従って、所定の観察倍率において、テクスチャ又はマイクロテクスチャは素材主題の認証領域の構造又は微細構造の画像に対応する。
【００５０】
認証領域は、従って、素材主題上又はその内の物理的空間であり、記録フェーズ中に素材主題から単位認証子を生成することを可能にしており、メッセージの復元を可能にするために少なくとも復元フェーズ中に再利用されなければならない。認証領域は、発明の意味において、物理的にマークされる必要はない。認証されるべき素材主題上の認証領域の位置が記録されてもよい。かかる記録は、絶対に必要ではないが、検証フェーズを容易にすることを可能にする。何のマーキングも持たない本発明の方法目的の実施において用いられる素材主題は、従って、関連メッセージの送信者又は受信者ではない誰かによって知られることも検出することもできない。例えば、遠隔測定、位置（ＧＰＳ又はその他）、ジャイロスコープ（例えば、モバイル端末に統合された加速度計）データは、送信者によって最初に用いられたものから最も近い可能性のある状況のために、復元フェーズ中に受信者を誘導するために用いることができる。
【００５１】
無論、素材主題は、また、用いられる読み取り区間が配置されているか、又は更にマークが付けられて、実装することもできる。従って、発明の更に別の特徴によれば、認証されるべき主題上の認証領域の位置は認証されるべき主題上にマークが付けられる。このマーク付けは、認証領域を示す１つ以上のマークがあるという点で明示的であるか、又は認証領域が主題の特徴的な領域内又はその近傍、例えば装飾パターンの近傍にあるという点で暗黙的であってもよい。
【００５２】
少なくとも１つの認証画像（素材主題の認証領域から取得した第１の画像）は送信者によるメッセージの形成中に実装され、少なくとも１つの検証画像（候補素材主題の認証領域から取得した第２の画像）は、候補素材主題が関連メッセージの形成中に用いられた素材主題である場合にのみ、メッセージのコンテンツへのアクセスを許可するよう、受信者によって実装されなければならない。メッセージの形成は、また、いわゆる記録フェーズ中又はいわゆる認証フェーズ中に起こってもよい。好ましくは、素材主題の認証画像及び／又は素材主題は、受信者が素材主題を所有するか又はそれが存在する前に、制作者又は作成者としても資格があってもよい送信者が所有するか又は存在する。言い換えれば、素材主題は受信者から知られる前に送信者から知られている。従って、発明の一実施形態によれば、送信者は、受信者に事前に知られずに、言い換えれば受信者の事前の認識なしで、選択された素材主題に関連するメッセージを準備する。
【００５３】
発明は、認証画像と称される第１の画像と、検証画像又は候補画像と称される第２の画像との間の類似性の分析を実行することによって、受信者へのメッセージコンテンツの配信を可能にするという利点を有し、その一方で、検証画像又は第２の画像を撮影するために撮像する素材主題の条件は、送信者が第１の画像又は認証画像を撮影する場合に満足されるそれらと決して同一ではない。確かに、第１及び第２の画像の取得の間、素材主題はわずかに劣化している可能性があり、照明又はその他の刺激の条件は同じではなく、用いられるセンサは概して異なっており（例：光学系及び解像度）、センサ、刺激源、及び素材物体の相対位置も異なっている。
【００５４】
第１及び第２の画像の取得条件の違いによって生じる困難に対応するために、発明は、好ましい実施形態において、２つの画像の位置合わせ又は他方に対する画像の一方の位置合わせに進むことを提案する。位置合わせとは、画像同士（モノ又はマルチソース）のマッチング、すなわち、ある特定の関係にある様々な属性の識別を意味する。このマッチングは、一般に、１つの画像から他方への通過を直接又は少なくとも１つの参照画像に関して可能にする可能性のある幾何学的変換の検索に基づいている。そのため、主な公知の方法は、変換を計算するための２つの画像間に共通する（一致した）幾何プリミティブの検索、又は変換を計算するための２つの画像における局所強度特徴間の類似性（相関性又はその他）の検索である。本発明の意味における検索された変換は、線形（例えば、ホモグラフィ等のいわゆるリジッド変換）であってもよいが、また非線形（変形可能変換）であってもよい。従って、本発明の方法目的を固体素材主題に適用することが可能であるが、全体的又は部分的に弾性素材主題、又はハイブリッド特徴を有する素材主題でさえも適用することが可能である。
【００５５】
発明の意味において、検証画像（第２の画像）及び認証画像（第１の画像）の位置合わせは、画像と画像との間、画像の一部と画像の一部との間、又は更に、特異点の集合及びそれらの局所的特徴と特異点の別の集合及びそれらの局所的特徴との間、対（特異点、局所記述子）と対（特異点、局所記述子）との間、又はマッチング及び、場合によっては幾何学的変換の計算を可能にする情報の任意の派生同士の間で理解されなければならない。前の実施例において、言及された対は素材主題の単位認証子と見なされる。
【００５６】
実装された位置合わせは、画像の又は前記画像に関連付けられる単位認証子の比較自体の前提条件である。そのため、多くの測定基準が本発明を変更することなく考慮され得る。例えば、同じアルゴリズムに従って第１及び第２の画像から抽出される署名の計算、並びにこれらの測定基準の間の距離の連続計算、並びに許容閾値の使用、又は特異点の一致の数に関する許容閾値との第１の画像内及び第２の画像内の対応する特異点の直接比較を言及してもよい。これらの特異点は、線形又はアフィン変換（回転、相似、平行移動、及びスケール係数）に対して有利に不変又は略不変であってもよい。
【００５７】
同様に、距離、距離の逆数、又は適切な発散は類似性の指標として用いることができ、また、例えば、法則フィルタ又はローカルバイナリパターン（ＬＢＰ）又は信号レベル勾配（例えば、ＳＵＲＦ、ＳＩＦＴ、ＫＡＺＥ、ＯＲＢ、ＢＲＩＳＫタイプ、・・・の）から生じる画像タイル間の局所記述子によって検出及び定量化される対象のある特徴点のマッチングにも適用されてもよい。これらの後者のプロセスに対して、特に、局所照明及び／又はヒストグラム均等化の違いを消去し、従って、発明の意味における画像の微細構造／マイクロテクスチャの対象を明らかにするように、以前のフィルタリングステップを実装することに関係してもよい。
【００５８】
発明の枠組み内で、暗黙的に整列し、類似性重みを計算し、特徴を抽出し、及び／又は分類する人工ニューラルネットワークを用いる計算方法も用いられてもよい。従って、本発明の一実施形態において、密な位置合わせ、すなわち、多数の点又は対応区間に基づくことは、認識を可能にし、従って素材主題の認証も可能にする。
【００５９】
素材主題の単位認証子は、前記素材主題の単一性、予測不能性、又は更には非再現性の特性から推定されるデジタル情報であってもよく、同じ素材主題からの候補単位認証子の任意の生成が、ある特定の閾値よりも低い距離に位置し、その一方で、別の素材主題から生じる単位認証子の任意の生成が、この同じ閾値よりも高い距離に位置することを保証し、前記閾値は衝突のリスク（真に対する偽の受け入れ及び偽に対する真の拒否）を最大限に低減するように選択される。次いで、類似性指標及び許容閾値との統計的比較が、例えば、実施される。
【００６０】
素材主題の単位認証子は、同じ素材主題（同じ認証領域）から生じる任意の候補単位認証子がメンバーシップの意味でこのセットの構成要素であり、別の素材主題から生じる任意の候補単位認証子がこのセットの構成要素ではないように境界が特定される一方で、衝突のリスク（真に対する偽の受け入れ及び偽に対する真の拒否）を最大限に低減するセット（多次元）であってもよい。このように形成された単位認証子の領域は、事前に設定可能であるか又は事後的に変更可能である。
【００６１】
発明の枠組み内において、任意の素材主題がある期間にわたって自発的又は非自発的な変化の対象となりやすく、及び素材主題の画像の任意の取得キャプチャも変動を引き起こすという事実が考慮される。発明による方法は、認証されるべき主題の部分的な変更に対して耐性を示し、認証及び検証画像の取得条件の変化に関してロバストであることが有利である。本発明の方法目的は、主題の物質的変化又は小振幅の取得条件の変化に耐性を示し、この小振幅の概念は、類似性指標及び許容閾値又はメンバーシップ基準及び境界の選択によって条件付けられる。しかし、発明による方法は、認証領域の規模においてあまりに重要な変更若しくは改変が行われた場合、又は第１及び第２の画像のためのキャプチャ条件があまりにも異なる場合には実施することができない。
【００６２】
素材主題自体の選択は、方法全体の堅牢性を特定する要素である。発明の意味において、メッセージの可用性の期間を寿命又は正しい素材主題の単位認証子の復元期間に自然に制限するように、時間の経過とともに多かれ少なかれ急速に劣化／進化する素材主題を用いることは、ある特定の用途において興味深い可能性がある。メッセージの「年齢」を特定する年代決定のための要素としてその年齢を推定するために、素材主題の劣化指数を特徴付けることさえ考慮されてもよい。
【００６３】
発明は、メッセージ送信の安全な方法であることを特に目的としていない場合でさえも、素材主題とのそれらの関連付けのおかげで、メッセージ及びそれらの配信のある特定の信頼性及び安全性を提供することに留意されたい。発明による方法の安全性を強化するため、データ及び電子機器／デバイスをセキュリティ保護するための任意の機構、例えば、データ暗号化、電子署名、安全トークンを実装することが可能である。同様に、安全性は、本発明によるメッセージングシステムの第１の実施又は開始から実行される「ブロックチェーン」タイプの全てのメッセージングトランザクションの分散された安全なレジスタシステムによって保証されてもよい。かかる機構の枠組み内のセキュリティ保護された要素は、次いで、交換されたメッセージ、又は実装された素材主題、又はそれらの画像、又はメッセージの及び関連する素材主題の組み合わせであってもよい。
【００６４】
その上、送信者によって本方法において実施されるようなメッセージのコンテンツは、その格納フェーズにおいて、及び受信者へのその配信まで、進化し続けることができる。従って、送信者は、関連メッセージのコンテンツを形成する正確且つ特定的な情報を決定してもよいが、少なくともその配信まで進化する進化及び開始情報（初期コンテンツ）の規則を選択してもよい。例えば、ＲＳＳフィードタイプの完全又は部分的なコンテンツは、保存中に更新され（データサーバへの保存は本明細書中で動的である）、又は、配信日に完全又は部分的に依存するコンテンツは完全に可能である（そのメッセージをアンカーする場合に送信者に知られていない日）。
【００６５】
発明による方法の変形例において、関連メッセージとは完全に又は部分的に異なるメッセージを再投稿し、それを最初の送信者に送り返す可能性が受信者に提供される。
【００６６】
同様に、受信者への通知は、復元及び認証フェーズ中に、インデックスとして戻って機能し、より高速な１：１制御を可能にするメッセージの一意の識別番号（例えば、増分値に結合されたランダム値から構成される）を指定することによって行われてもよい。
【００６７】
異なる実装形態によれば、送信者は、サーバシステムを介して（通知と同時に、暗号化される方法であろうとなかろうと）、関連性が低い可能性がある場合でさえも、任意のチャンネルによって素材主題に関する指示を受信者に送信してもよい。素材主題に関する指示の通信形態は、関連メッセージが、例えば、電子メールによって送信される場合、例えば、ＳＭＳ又はＭＭＳ又は電話によるものであってもよい。
【００６８】
発明は、少なくとも１つのセンサ（カメラ、ＣＣＤセンサ、ＣＭＯＳ、超音波、・・・）、メモリ及びプロセッサ、又は場合によっては刺激源（発光又はその他）さえも備える適切な電子デバイスで実装されてもよい。発明の実装形態に適合される電子デバイスの中で、コンピュータ、タブレット、スマートフォン、拡張現実マスク、拡張現実グラスが言及されてもよい。
【００６９】
素材主題として、製造された製品（工業又は伝統的）、芸術品、元素、又は自然光景を選択できることに留意されたい。例えば、香水箱の場合、及び店舗における購入時に、方法は送信者として実施することができ、前記香水箱は受信者に送信することができる。配信後、受信者は従って素材主題を所有しており、リンクが従って確立され、送信者によって任意の手段によってメッセージが待機していることが通知され（メッセージの一意の識別番号を有する可能性がある）、次いで、方法を実施し、送信者によって提供されたデジタルコンテンツを受信してもよい。
【００７０】
素材主題として、都市環境、有名な記念碑の石（Ｎｏｔｒｅ  Ｄａｍｅ  Ｃａｔｈｅｄｒａｌ  ｉｎ  Ｐａｒｉｓ、Ｃｏｌｉｓｅｕｍ  ｉｎ  Ｒｏｍｅ、・・・）を選択し、発明の方法目的を実施することも可能である。
【００７１】
発明のための考えられる用途の中で、製品製造業者／流通業者と消費者との間の対話及び交換、手がかり及び／又は指示が発明に従うメッセージングシステムによって配信される追跡ゲームが言及されてもよい。別の可能性のある用途は、保証のための製品の記録、又は使用説明に対するアクセス若しくは配信である。
【００７２】
無論、発明の方法又は他の実施形態の様々な他の変形例が添付特許請求の範囲の枠組みの中で考慮されてもよい。
【図１】
2020512626.tif 000003
【国際調査報告】
2020512626.tif 000004
2020512626.tif 000005
2020512626.tif 000006
2020512626.tif 000007